(57)【特許請求の範囲】
【請求項１】
電波によって情報を送信する送信手段と、
基地局からの電波が届いているか否かを判定する圏外判定手段と、
基地局からの電波が届いていないと前記圏外判定手段によって判定されると、終了時刻を特定するために必要な特定情報を圏内に戻って入力させるための入力画面を表示器に表示させる表示制御手段と、
を備え、
前記送信手段は、
基地局からの電波が届いていると前記圏外判定手段によって判定されている間は、安否確認を行うための情報を定期的に管理装置に送信し、
前記入力画面から特定情報が入力されると、入力された特定情報を前記管理装置に送信する通信端末。
【請求項２】
前記送信手段は、特定情報を前記管理装置に送信した後に基地局からの電波が届いていると前記圏外判定手段によって判定されると、圏内に復帰した旨の情報を前記管理装置に送信する請求項１に記載の通信端末。
【請求項３】
前記表示制御手段は、特定情報が前記管理装置に送信された後に基地局からの電波が届いていると前記圏外判定手段によって判定されない場合は、前記入力画面から入力された特定情報に基づくタイミングで前記入力画面を前記表示器に再表示させる請求項１又は請求項２に記載の通信端末。
【請求項４】
前記表示制御手段は、特定情報が前記管理装置に送信された後に基地局からの電波が届いていると前記圏外判定手段によって判定されない場合は、前記入力画面から入力された特定情報に基づくタイミングで、圏内に戻る必要がある旨の情報を前記表示器に表示させる請求項１から請求項３の何れか一項に記載の通信端末。
【請求項５】
基地局からの電波が届いていないと前記圏外判定手段によって判定されると、音又は振動を発生させる報知制御手段を更に備えた請求項１から請求項４の何れか一項に記載の通信端末。
【請求項６】
前記報知制御手段は、特定情報が前記管理装置に送信された後に基地局からの電波が届いていると前記圏外判定手段によって判定されない場合は、前記入力画面から入力された特定情報に基づくタイミングで、音又は振動を発生させる請求項５に記載の通信端末。
【請求項７】
請求項１から請求項６の何れか一項に記載の前記通信端末と、
前記通信端末から受信した安否確認を行うための情報に基づいて、前記通信端末の所有者に異常が発生したか否かを判定する異常判定手段と、
前記通信端末の所有者に異常が発生したと前記異常判定手段によって判定されると、異常が発生した旨を報知させる異常報知手段と、
を備え、
前記異常判定手段は、前記通信端末から特定情報を受信すると、受信した特定情報によって特定される終了時刻になるまで前記通信端末の所有者に異常が発生したと判定しない安否確認システム。
【請求項８】
請求項１から請求項６の何れか一項に記載の前記通信端末と、
前記通信端末から受信した安否確認を行うための情報に基づいて、前記通信端末の所有者に異常が発生したか否かを判定する異常判定手段と、
前記通信端末の所有者に異常が発生したと前記異常判定手段によって判定されると、異常が発生した旨を報知させる異常報知手段と、
を備え、
前記異常報知手段は、前記通信端末から特定情報を受信すると、受信した特定情報によって特定される終了時刻になるまで異常が発生した旨を報知させない安否確認システム。
【発明の詳細な説明】
【技術分野】
【０００１】
この発明は、安否確認を行うための通信端末及び安否確認システムに関する。
【背景技術】
【０００２】
特許文献１に、単身生活者の安否を確認するシステムが記載されている。特許文献１に記載されたシステムでは、通信端末がモーションセンサによる検知結果から移動パターンを検出する。通信端末は、一定の移動パターンが検出されると、予め定められた連絡先に異常がない旨のメッセージを送信する。
【先行技術文献】
【特許文献】
【０００３】
【特許文献１】特開２０１３−３６０６号公報
【発明の概要】
【発明が解決しようとする課題】
【０００４】
安否確認が必要な人は、高齢者等の単身生活者に限られない。例えば、エスカレータ或いはエレベータの保守員は、一人で現場に赴き、点検作業或いは修理作業を行うことがある。このため、このような保守員に対しても安否の確認は必要である。エスカレータ及びエレベータは、電波が届かない場所に設置されていることがある。保守員は、例えば、ダム、地下階の奥まった場所或いは建設中のビル等でも作業を行う。保守員が電波の届かない場所にいる場合、安否の確認を正確に行うことができず、保守員に何らかの異常が発生していると判断されてしまうことがあった。
【０００５】
この発明は、上述のような課題を解決するためになされた。この発明の目的は、保守員等が電波の届かない場所で作業を行う場合に、その人の安否が誤って判断されてしまうことを防止できる通信端末及び安否確認システムを提供することである。
【課題を解決するための手段】
【０００６】
この発明に係る通信端末は、電波によって情報を送信する送信手段と、基地局からの電波が届いているか否かを判定する圏外判定手段と、基地局からの電波が届いていないと圏外判定手段によって判定されると、終了時刻を特定するために必要な特定情報を圏内に戻って入力させるための入力画面を表示器に表示させる表示制御手段と、を備える。送信手段は、基地局からの電波が届いていると圏外判定手段によって判定されている間は、安否確認を行うための情報を定期的に管理装置に送信し、入力画面から特定情報が入力されると、入力された特定情報を管理装置に送信する。
【０００７】
この発明に係る安否確認システムは、上記通信端末と、通信端末から受信した安否確認を行うための情報に基づいて、通信端末の所有者に異常が発生したか否かを判定する異常判定手段と、通信端末の所有者に異常が発生したと異常判定手段によって判定されると、異常が発生した旨を報知させる異常報知手段と、を備える。異常判定手段は、通信端末から特定情報を受信すると、受信した特定情報によって特定される終了時刻になるまで通信端末の所有者に異常が発生したと判定しない。
【０００８】
この発明に係る安否確認システムは、上記通信端末と、通信端末から受信した安否確認を行うための情報に基づいて、通信端末の所有者に異常が発生したか否かを判定する異常判定手段と、通信端末の所有者に異常が発生したと異常判定手段によって判定されると、異常が発生した旨を報知させる異常報知手段と、を備える。異常報知手段は、通信端末から特定情報を受信すると、受信した特定情報によって特定される終了時刻になるまで異常が発生した旨を報知させない。
【発明の効果】
【０００９】
この発明によれば、保守員等が電波の届かない場所で作業を行う場合に、その人の安否が誤って判断されてしまうことを防止できる。
【図面の簡単な説明】
【００１０】
【図１】この発明の実施の形態１における安否確認システムの構成を示す図である。
【図２】通信端末の動作を示すフローチャートである。
【図３】通信端末の動作を示すフローチャートである。
【図４】通信端末の表示器に表示される圏外メッセージの一例を示す図である。
【図５】通信端末の表示器に表示される入力画面の一例を示す図である。
【図６】通信端末の表示器に表示される警告メッセージの一例を示す図である。
【図７】管理装置の動作を示すフローチャートである。
【発明を実施するための形態】
【００１１】
添付の図面を参照し、本発明を説明する。重複する説明は、適宜簡略化或いは省略する。各図において、同一の符号は同一の部分又は相当する部分を示す。
【００１２】
実施の形態１．
図１は、この発明の実施の形態１における安否確認システムの構成を示す図である。安否確認システムは、管理装置１及び通信端末２を備える。以下においては、安否確認システムによってエスカレータの保守員の安否を確認する例について説明する。安否確認システムの適用例は、これに限定されない。
【００１３】
エスカレータの保守員は、通信端末２を所持してエスカレータの据付現場に赴く。通信端末２は、通信回線３を介して管理装置１と通信を行うことができる。通信端末２は、例えば加速度計４、表示器５、スピーカ６、バイブレータ７、表示制御部８、報知制御部９、圏外判定部１０及び送信部１１を備える。
【００１４】
加速度計４は、通信端末２の加速度を計測する。表示器５は、例えば液晶ディスプレイからなる。表示器５に表示される内容は、表示制御部８によって制御される。
【００１５】
スピーカ６は、音声を出力する。バイブレータ７は、振動を発生させる。スピーカ６及びバイブレータ７は、表示以外の方法で保守員に対する報知を行う装置の例である。スピーカ６から出力される音声の内容及びバイブレータ７の動作は、報知制御部９によって制御される。
【００１６】
圏外判定部１０は、基地局１２からの電波が届いているか否かを判定する。例えば、圏外判定部１０は、正常な通信を行うことができる程度の電波を基地局１２から受信できる場合に、基地局１２からの電波が届いていることを判定する。圏外判定部１０は、基地局１２から電波を受信できない場合及び正常な通信を行うことができない程度の電波しか基地局１２から受信できない場合に、基地局１２からの電波が届いていないことを判定する。
【００１７】
送信部１１は、電波によって情報を送信する。送信部１１から送信された情報は、基地局１２に受信され、例えば通信回線３を介して管理装置１に受信される。
【００１８】
符号８〜１１に示す各部は、通信端末２が有する機能を示す。通信端末２は、ハードウェア資源として、加速度計４等の他に、例えば入出力インターフェースとプロセッサとメモリとを含む回路を備える。通信端末２は、メモリに記憶されたプログラムをプロセッサによって実行することにより、各部８〜１１が有する各機能を実現する。通信端末２は、複数のプロセッサを備えても良い。通信端末２は、複数のメモリを備えても良い。即ち、複数のプロセッサと複数のメモリとが連携して各部８〜１１が有する各機能を実現しても良い。各部８〜１１が有する各機能の一部又は全部をハードウェアによって実現しても良い。
【００１９】
管理装置１は、エスカレータの保守員の安否を管理する。管理装置１は、例えば複数の保守員の安否を管理することができる。管理装置１に、複数の通信端末２が通信回線３を介して接続される。管理装置１は、例えば表示器１３、受信部１４、送信部１５、異常判定部１６及び異常報知部１７を備える。
【００２０】
受信部１４は、管理装置１に送信されてきた情報を受信する。通信端末２の送信部１１から送信された情報は、受信部１４によって受信される。送信部１５は、情報を送信する。例えば、管理装置１に、通信回線３を介して外部機器１８が接続される。送信部１５は、外部機器１８に情報を送信する。
【００２１】
異常判定部１６は、通信端末２の所有者（保守員）に異常が発生したか否かを判定する。異常判定部１６は、例えば通信端末２から受信した情報に基づいて上記判定を行う。
【００２２】
異常報知部１７は、報知を行うための装置から、通信端末２の所有者（保守員）に異常が発生した旨を報知させる。上記報知は、例えば保守員に異常が発生したと異常判定部１６によって判定された際に行われる。例えば、異常報知部１７は、保守員に異常が発生した旨を表示器１３に表示させる。異常報知部１７は、保守員に異常が発生した旨の情報を送信部１５に送信させても良い。送信部１５からの情報は、例えば異常の発生が検出された保守員の管理者が所有するＰＣに送信される。
【００２３】
符号１４〜１７に示す各部は、管理装置１が有する機能を示す。管理装置１は、ハードウェア資源として、表示器１３等の他に、例えば入出力インターフェースとプロセッサとメモリとを含む回路を備える。管理装置１は、メモリに記憶されたプログラムをプロセッサによって実行することにより、各部１４〜１７が有する各機能を実現する。管理装置１は、複数のプロセッサを備えても良い。管理装置１は、複数のメモリを備えても良い。即ち、複数のプロセッサと複数のメモリとが連携して各部１４〜１７が有する各機能を実現しても良い。各部１４〜１７が有する各機能の一部又は全部をハードウェアによって実現しても良い。
【００２４】
次に、図２から図７も参照し、上記構成を有する安否確認システムの動作について具体的に説明する。図２及び図３は、通信端末２の動作を示すフローチャートである。
【００２５】
通信端末２では、一定の周期で電波強度を取得する（Ｓ１０１）。圏外判定部１０は、取得された電波強度に基づいて、圏外か否かを判定する（Ｓ１０２）。即ち、圏外判定部１０は、基地局１２からの電波が届いているか否かを判定する。基地局１２からの電波が届いていることが圏外判定部１０によって判定されると（Ｓ１０２のＮｏ）、加速度計４によって通信端末２の加速度が検出される（Ｓ１０３）。
【００２６】
その後、指定時間が経過したか否かが判定される（Ｓ１０４）。指定時間が経過していれば（Ｓ１０４のＹｅｓ）、送信部１１は、Ｓ１０３で検出された加速度の情報を管理装置１に送信する（Ｓ１０５）。通信端末２が圏内にあれば、通信端末２から管理装置１に対して定期的に加速度の情報が送信される。通信端末２から加速度の情報を送信する周期は適宜設定される。
【００２７】
エスカレータは、基地局１２からの電波が届かない場所に設置されていることがある。保守員は、エスカレータの据付、保守或いは修理のために、例えばダム、地下階の奥まった場所或いは建設中のビル等でも作業を行う。保守員がこのような場所に行くと、基地局１２からの電波が届いていないことが圏外判定部１０によって判定される（Ｓ１０２のＹｅｓ）。
【００２８】
かかる場合、報知制御部９は、圏外に入ったことを保守員に知らせるため、バイブレータ７を動作させて振動を発生させる（Ｓ１０６）。報知制御部９は、Ｓ１０６でスピーカ６から警告音を発生させても良い。報知制御部９は、振動及び警告音の双方を発生させても良い。
【００２９】
また、基地局１２からの電波が届いていないことが圏外判定部１０によって判定されると、表示制御部８は、表示器５に圏外メッセージを表示させる（Ｓ１０７）。図４は、通信端末２の表示器５に表示される圏外メッセージの一例を示す図である。表示制御部８は、例えば「圏外に入りました。圏外での作業を継続しますか？」といったメッセージを表示器５に表示させる。また、表示制御部８は、保守員が上記質問に対する回答を入力するためのボタンを表示器５に表示させる。図４は、通信端末２がタッチパネル式の表示器５を備える例を示す。保守員は、「はい」ボタンの領域又は「いいえ」ボタンの領域に触れることにより、上記質問に対する回答を入力する。
【００３０】
その後、通信端末２では、作業の継続が選択されたか否かが判定される（Ｓ１０８）。保守員が意図せずに圏外に入った場合、保守員は、例えば図４に示す「いいえ」ボタンの領域に触れ、作業を継続しないことを入力する。かかる場合、保守員が圏内に戻ることにより、加速度の情報が管理装置１に対して定期的に送信される。
【００３１】
圏外での作業が必要な場合、保守員は、例えば図４に示す「はい」ボタンの領域に触れ、作業を継続することを入力する。かかる場合、表示制御部８は、入力画面を表示器５に表示させる（Ｓ１０９）。入力画面は、圏外での作業の終了時刻を特定するために必要な特定情報を保守員に入力させるための画面である。上記特定情報は、例えば作業の終了予定時刻の情報である。特定情報は、作業に掛かる予定時間の情報であっても良い。通信端末２には時計の機能が備えられている。作業に掛かる予定時間が分かれば、作業の終了時刻を特定することができる。
【００３２】
図５は、通信端末２の表示器５に表示される入力画面の一例を示す図である。表示制御部８は、例えば「圏内に一度戻って作業の終了予定時刻を入力し、送信ボタンを押してください。」といったメッセージを表示器５に表示させる。また、表示制御部８は、作業の終了予定時刻を入力するための入力スペースを表示器５に表示させる。図５は、数字を打ち込んで終了予定時刻を入力する例を示す。プルダウンリストの中から数字を選択して終了予定時刻を入力しても良い。更に、表示制御部８は、入力された終了予定時刻の情報を送信するためのボタンと入力画面の表示をキャンセルするためのボタンとを表示器５に表示させる。
【００３３】
その後、通信端末２では、特定情報の入力が完了したか否かが判定される（Ｓ１１０）。圏外で作業を行う保守員は、入力画面から作業の終了予定時刻を入力する。また、保守員は、終了予定時刻を入力すると、入力画面の「送信」ボタンの領域に触れる。これにより、特定情報の入力が完了したことが判定される（Ｓ１１０のＹｅｓ）。送信部１１は、入力画面から入力された終了予定時刻の情報（特定情報）を管理装置１に送信する（Ｓ１１１）。
【００３４】
その後、通信端末２では、一定の周期で電波強度を取得する（Ｓ１１２）。圏外判定部１０は、取得された電波強度に基づいて、圏外か否かを判定する（Ｓ１１３）。例えば、保守員が圏外での作業を終えて圏内に戻ると、基地局１２からの電波が届いていることが圏外判定部１０によって判定される（Ｓ１１３のＮｏ）。
【００３５】
Ｓ１１１で特定情報の送信が行われた後に基地局１２からの電波が届いていることが圏外判定部１０によって判定されると、表示制御部８は、表示器５に圏内復帰画面を表示させる（Ｓ１１４）。また、送信部１１は、保守員が圏内に復帰した旨の情報（圏内復帰情報）を管理装置１に送信する（Ｓ１１５）。その後は、加速度の情報が管理装置１に対して定期的に送信される。
【００３６】
Ｓ１１１で特定情報の送信が行われた後に基地局１２からの電波が届いていることが圏外判定部１０によって判定されない場合、時刻情報が取得される（Ｓ１１６）。そして、現在の時刻が、保守員が入力画面から入力した終了予定時刻を過ぎているか否かが判定される（Ｓ１１７）。終了予定時刻になっていなければ（Ｓ１１７のＮｏ）、電波強度が再度取得される。
【００３７】
保守員の圏外での作業が長引くと、基地局１２からの電波が届いていることが圏外判定部１０によって判定されることなく終了予定時刻になる（Ｓ１１７のＹｅｓ）。かかる場合、報知制御部９は、終了予定時刻になったことを保守員に知らせるため、バイブレータ７を動作させて振動を発生させる（Ｓ１１８）。報知制御部９は、Ｓ１１８でスピーカ６から警告音を発生させても良い。報知制御部９は、振動及び警告音の双方を発生させても良い。
【００３８】
また、基地局１２からの電波が届いていることが圏外判定部１０によって判定されることなく終了予定時刻になると、表示制御部８は、表示器５に警告メッセージを表示させる（Ｓ１１９）。図６は、通信端末２の表示器５に表示される警告メッセージの一例を示す図である。表示制御部８は、例えば「作業の終了予定時刻になりました。管理者に安否異常が通報されますので、圏内に戻ってください。」といったメッセージを表示器５に表示させる。
【００３９】
図７は、管理装置１の動作を示すフローチャートである。
管理装置１では、指定時間内に通信端末２から加速度の情報を受信したか否かが判定される（Ｓ２０１）。基本的に、管理装置１では、管理する各通信端末２から定期的に加速度の情報を受信する。異常判定部１６は、通信端末２から受信した加速度の情報に基づいて、その通信端末２の所有者（保守員）に異常が発生したか否かを判定する（Ｓ２０２）。図７に示す動作フローは、各通信端末２に対して定期的に行われる。
【００４０】
例えば、異常判定部１６は、加速度計４によって計測された加速度が０或いは極めて小さな値である場合に、保守員に異常が発生したことを判定する。異常判定部１６は、加速度計４によって計測された加速度が連続して０或いは極めて小さな値である場合に、保守員に異常が発生したことを判定しても良い。異常判定部１６は、他の条件に基づいて異常の発生を判定しても良い。
【００４１】
異常報知部１７は、保守員に異常が発生したことが異常判定部１６によって判定されると、異常が発生した旨の報知を行わせる。これにより、例えば、異常が発生したと判定された保守員の管理者に対して安否異常が通報される（Ｓ２０３）。
【００４２】
指定時間内に加速度の情報が通信端末２から送られてこない場合（Ｓ２０１のＮｏ）、圏外作業の終了予定時刻の情報、即ち特定情報を通信端末２から受信したか否かが判定される（Ｓ２０４）。加速度の情報及び終了予定時刻の情報の双方を受信していない場合（Ｓ２０４のＮｏ）、異常判定部１６は、保守員に異常が発生したことを判定する。これにより、異常が発生したと判定された保守員の管理者に対して安否異常が通報される。
【００４３】
圏外作業の終了予定時刻の情報を受信している場合（Ｓ２０４のＹｅｓ）、現在の時刻が、受信した終了予定時刻を過ぎているか否かが判定される（Ｓ２０５）。終了予定時刻になっていなければ（Ｓ２０５のＮｏ）、圏内復帰情報を受信したか否かが判定される（Ｓ２０６）。終了予定時刻になる前に通信端末２から圏内復帰情報を受信した場合（Ｓ２０６のＹｅｓ）、処理は終了する。一方、通信端末２から圏内復帰情報を受信することなく終了予定時刻になると（Ｓ２０５のＹｅｓ）、異常判定部１６は、保守員に異常が発生したことを判定する。これにより、異常が発生したと判定された保守員の管理者に対して安否異常が通報される。
【００４４】
上記構成を有する通信端末２では、基地局１２からの電波が届いていることが圏外判定部１０によって判定されている間は、加速度の情報が定期的に管理装置１に送信される。このため、管理装置１では、受信した加速度の情報に基づいて保守員の安否を確認できる。
【００４５】
一方、基地局１２からの電波が届いていないことが圏外判定部１０によって判定されると、表示器５に入力画面が表示される。保守員は、入力画面から作業の終了予定時刻を入力して、その情報（特定情報）を管理装置１に送信することができる。管理装置１では、通信端末２から特定情報を受信すると、その特定情報によって特定される終了時刻になるまで、保守員に異常が発生したことを異常判定部１６は判定しない。このため、保守員が電波の届かない場所で作業を行う場合に、保守員の安否が誤って判断されてしまうことを防止できる。
【００４６】
このような効果は、異常報知部１７の機能を制限しても実現できる。例えば、通信端末２から特定情報を受信した場合に、その特定情報によって特定される終了時刻になるまで、保守員に異常が発生した旨を報知させないように構成しても良い。
【００４７】
本実施の形態では、通信端末２から管理装置１に加速度の情報を定期的に送信する例について説明した。上記加速度の情報は、安否確認を行うための情報の一例である。安否確認を行うための情報として、通信端末２から管理装置１に他の情報を送信しても良い。例えば、通信端末２から管理装置１に保守員の心拍数の情報を送信しても良い。また、保守員に異常が発生したか否かの判定を通信端末２で行い、異常の有無を表す信号を通信端末２から管理装置１に定期的に送信しても良い。かかる場合、管理装置１では、異常無しを表す信号を受信すれば異常判定部１６によって異常無しが判定され、異常有りを表す信号を受信すれば異常判定部１６によって異常有りが判定される。
【００４８】
本実施の形態では、基地局１２からの電波が届いていることが圏外判定部１０によって判定されることなく圏外作業の終了予定時刻になった場合に、振動或いは警告音を発生させたり警告画面を表示器５に表示させたりする例について説明した。振動或いは警告音を発生させたり警告画面を表示させたりするタイミングは、上記タイミングに限定されない。例えば、報知制御部９は、もうすぐ終了予定時刻になることを保守員に知らせるために、バイブレータ７を動作させて振動を発生させても良い。振動或いは警告音を発生させたり警告画面を表示させたりするタイミングは、入力画面から入力された終了予定時刻の情報（特定情報）に基づいて適宜設定される。
【００４９】
また、入力画面から入力された終了予定時刻の情報（特定情報）に基づくタイミングで、入力画面を表示器５に再表示させても良い。例えば、警告メッセージを表示器５に表示させる代わりに、入力画面を表示器５に再表示させても良い。警告メッセージを表示器５に表示させた後に、入力画面を表示器５に再表示させても良い。このような構成を採用することにより、終了予定時刻の延長機能を備えることが可能となる。
【符号の説明】
【００５０】
１  管理装置
２  通信端末
３  通信回線
４  加速度計
５  表示器
６  スピーカ
７  バイブレータ
８  表示制御部
９  報知制御部
１０  圏外判定部
１１  送信部
１２  基地局
１３  表示器
１４  受信部
１５  送信部
１６  異常判定部
１７  異常報知部
１８  外部機器
【図１】
0006459733.tif 000002
【図２】
0006459733.tif 000003
【図３】
0006459733.tif 000004
【図４】
0006459733.tif 000005
【図５】
0006459733.tif 000006
【図６】
0006459733.tif 000007
【図７】
0006459733.tif 000008